(57)【要約】      （修正有）【課題】女性に動揺歩行させることができるシューズを提供する。【解決手段】ハイヒール４は、甲先４１の靴底４２のアウトサイド側の領域をエッジ４３に近づく程、低くなる様に傾斜させて窪み４４を設けている。このローヒール４を履いて歩くと、歩いた時に体の重心が左右に移動するため、腰を振ってバランスを取る状態になるとともに、ウエストも動く。つまり、女性がこのハイヒール４を履けば、通常よりも大きく動揺歩行をすることができる。【選択図】図３
0003181417.tif 000002
【実用新案登録請求の範囲】
【請求項１】
靴底の中心線より外側に位置する領域を、アウトサイドエッジに近づく程、低くなる様に傾斜させて窪みを設けたことを特徴とする靴。
【請求項２】
請求項１に記載の靴の靴底に敷いて使用する中敷であって、
前記窪みに嵌まり込んで靴底が平坦になる様に、靴中心線からアウトサイドに近づく程、厚みが厚くなる硬質部材を下面に貼着したことを特徴とする中敷。
【請求項３】
甲先の靴底のアウトサイド側の領域をエッジに近づく程、低くなる様に傾斜させて窪みを設けたことを特徴とするハイヒール。
【請求項４】
請求項３に記載のハイヒールの靴底に敷いて使用する中敷であって、
前記窪みに嵌まり込んで甲先の靴底が平滑になる様に、アウトサイドに近い領域程、厚みが厚くなる硬質部材を下面に貼着したことを特徴とする中敷。
【請求項５】
ヒールが低い靴の靴底に敷いて使用する中敷であって、
該中敷の中心線よりアウトサイド側に位置する箇所を、縁端に近づく程、低くなる様に傾斜させたことを特徴とする中敷。
【請求項６】
ハイヒールの靴底に敷いて使用する中敷であって、甲先のアウトサイド側に位置する箇所を、エッジに近づく程、低くなる様に傾斜させたことを特徴とする中敷。
【考案の詳細な説明】
【技術分野】
【０００１】
本考案は、女性が通常よりも尻を大きく左右に振ってセクシーに見える様に歩行（動揺歩行）できる靴および中敷に関する。
【背景技術】
【０００２】
アメリカ合衆国カリフォルニア州ロサンゼルス出身の女優、マリリン・モンロー（Marilyn Monroe、1926年6 月1 日 - 1962 年8 月5 日）は、お尻を通常よりも大きく左右に振ってセクシーに見える歩き方をすることで有名であった。
この独特な歩き方の秘密は、意図的に、左のヒールよりも右のヒールを4 分の１インチ（６ｍｍ強）程度短くしていたからである。但し、片側のヒールを短くすると、転倒し易くなるとともに、非装着時にハイヒールの見栄えが悪くなる弊害がでる。
【先行技術文献】
【特許文献】
【０００３】
【特許文献１】実開平３−１０６９１０号公報
【特許文献２】実開平６−６４５０４号公報
【０００４】
また、中敷の厚みを変えて、足関節の強化や歩行を楽にする技術が知られている（特許文献１、２）。
【考案の概要】
【考案が解決しようとする課題】
【０００５】
上記特許文献１、２に記載の技術では、女性に動揺歩行させることができない。
本考案の目的は、シューズを履くか、中敷を靴底に組み込むことにより、女性に動揺歩行させることができるシューズおよび中敷の提供にある。
【課題を解決するための手段】
【０００６】
（請求項１について）
靴は、靴底の中心線より外側に位置する領域を、アウトサイドエッジに近づく程、低くなる様に傾斜させて窪みを設けている。
【０００７】
この靴を履いて歩くと、歩いた時に体の重心が左右に移動するため、腰を振ってバランスを取る状態になるとともに、ウエストも動く。
女性がこの靴を履けば、通常よりも尻を大きく左右に振ってセクシーに見える様に歩行（動揺歩行）することができる。
【０００８】
（請求項２について）
中敷は、窪みに嵌まり込んで靴底が平坦になる様に、靴中心線からアウトサイドに近づく程、厚みが厚くなる硬質部材を下面に貼着している。
動揺歩行が不要な場合には、中敷を靴底に組み込めば良く、中敷の下面に貼着した硬質部材が窪みに嵌まり込むため、靴底が平坦になる。これにより、普通の靴として使うことができる。
【０００９】
（請求項３について）
ハイヒールは、甲先の靴底のアウトサイド側の領域を、エッジに近づく程、低くなる様に傾斜させて窪みを設けている。なお、窪みは、甲先の靴底のアウトサイド側の領域だけなので、ハイヒールを履いた際に不安定にならず、転倒を防ぐことができる。
このハイヒールを履いて歩くと、歩いた時に体の重心が左右に移動するため、腰を振ってバランスを取る状態になるとともに、ウエストも動く。
よって、女性がこのハイヒールを履けば、通常よりも尻を大きく左右に振ってセクシーに見える様に歩行（動揺歩行）することができる。
【００１０】
（請求項４について）
中敷は、窪みに嵌まり込んで甲先の靴底が平滑になる様に、靴中心線からアウトサイドに近づく程、厚みが厚くなる硬質部材を下面に貼着している。
動揺歩行が不要な場合には、中敷を靴底に組み込めば良く、中敷の下面に貼着した硬質部材が窪みに嵌まり込むため、靴底が平坦になる。これにより、普通のハイヒールとして使うことができる。
【００１１】
（請求項５について）
ヒールが低い靴の靴底に敷いて使用する中敷は、中敷の中心線よりアウトサイド側に位置する箇所を、縁端に近づく程、低くなる様に傾斜させている。
ヒールが低い靴の靴底に中敷を敷くと、靴底の中心線より外側に位置する領域に、アウトサイドエッジに近づく程、低くなる様に傾斜した窪みが付く。
この中敷を靴の靴底に敷して歩くと、歩いた時に体の重心が左右に移動するため、腰を振ってバランスを取る状態になるとともに、ウエストも動く。
よって、女性がこの中敷を手持ちの靴の靴底に敷けば、通常よりも尻を大きく左右に振ってセクシーに見える様に歩行（動揺歩行）することができる。
【００１２】
（請求項６について）
ハイヒールの靴底に敷いて使用する中敷は、甲先のアウトサイド側に位置する箇所を、エッジに近づく程、低くなる様に傾斜させている。
ハイヒールの靴底に中敷を敷くと、甲先のアウトサイド側に位置する箇所に、エッジに近づく程、低くなる様に傾斜した窪みが付く。
この中敷をハイヒールの靴底に敷して歩くと、歩いた時に体の重心が左右に移動するため、腰を振ってバランスを取る状態になるとともに、ウエストも動く。
よって、女性がこの中敷を手持ちのハイヒールの靴底に敷けば、通常よりも尻を大きく左右に振ってセクシーに見える様に歩行（動揺歩行）することができる。
【図面の簡単な説明】
【００１３】
【図１】（ａ）は本考案の実施例１に係る靴の横面図、（ｂ）は本考案の実施例２に係るローヒールの横面図、（ｃ）はその靴およびローヒールの上面図、（ｄ）は靴底の窪みの説明図、（ｅ）は窪みに配設するスポンジの説明図である。
【図２】（ａ）は本考案の実施例３に係る、靴やローヒールに適した中敷の説明図であり、（ｂ）は本考案の実施例５に係るハイヒールに適した中敷の説明図であり、
【図３】（ａ）は本考案の実施例４に係るハイヒールの説明図であり、（ｂ）は靴底の窪みに配設するスポンジの説明図である。
【図４】（ａ）は本考案の実施例６に係る中敷の説明図であり、（ｂ）本考案の実施例７に係る中敷の説明図である。
【考案を実施するための形態】
【００１４】
ハイヒールは、甲先の靴底のアウトサイド側の領域をエッジに近づく程、低くなる様に傾斜させて窪みを設けている。
このハイヒールを履いて歩くと、歩いた時に体の重心が左右に移動するため、腰を振ってバランスを取る状態になるとともに、ウエストも動く。
よって、女性がこのハイヒールを履けば、通常よりも尻を大きく左右に振ってセクシーに見える様に歩行（動揺歩行）することができる。
【実施例１】
【００１５】
本考案の実施例１（請求項１に対応）に係る、靴１を、図１に基づいて説明する。
靴１は、靴底１１の中心線１２より外側に位置する領域を、アウトサイドエッジ１３に近づく程、低くなる様に傾斜させて窪み１４を設けている。
なお、窪み１４に、靴底１１と同色のスポンジ１５を配設すれば、上からの見栄えが良くなる。
【００１６】
この靴１を履いて歩くと、歩いた時に体の重心が左右に移動するため、腰を振ってバランスを取る状態になるとともに、ウエストも動く。
女性がこの靴１を履けば、通常よりも尻を大きく左右に振ってセクシーに見える様に歩行（動揺歩行）することができる。
【実施例２】
【００１７】
本考案の実施例２（請求項３に対応）に係る、ローヒール２を、図１に基づいて説明する。
ローヒール２は、靴底２１の中心線２２より外側に位置する領域を、アウトサイドエッジ２３に近づく程、低くなる様に傾斜させて窪み２４を設けている。
なお、窪み２４に、靴底２１と同色のスポンジ２５を配設すれば、上からの見栄えが良くなる。
【００１８】
このローヒール２を履いて歩くと、歩いた時に体の重心が左右に移動するため、腰を振ってバランスを取る状態になるとともに、ウエストも動く。
女性がこのローヒール２を履けば、通常よりも尻を大きく左右に振ってセクシーに見える様に歩行（動揺歩行）することができる。
【実施例３】
【００１９】
本考案の実施例３（請求項２に対応）に係る、中敷３を、図１、および図２の（ａ）に基づいて説明する。
図２の（ａ）に示す如く、中敷３は、実施例１の動揺歩行ができる靴１またはローヒール２（図１参照）の窪み１４、２４に嵌まり込んで靴底１１、２１が平坦になる様に、靴中心線１２、２２からアウトサイドエッジ１３、２３に近づく程、厚みが厚くなる硬質部材３１を中敷本体３０の下面に貼着している。なお、硬質部材３１は、靴底１１、２１と同材質のものである。
【００２０】
動揺歩行が不要な場合には、中敷３を靴底１１、２１に組み込めば良く、中敷３の下面に貼着した硬質部材３１が窪み１４、２４に嵌まり込むため、靴底１１、２１が平坦になる。これにより、動揺歩行ができる靴１やローヒール２を普通の靴として使うことができる。
【実施例４】
【００２１】
本考案の実施例４（請求項３に対応）に係る、ハイヒール４を、図３に基づいて説明する。
ハイヒール４は、甲先４１の靴底４２のアウトサイド側の領域をアウトサイドエッジ４３に近づく程、低くなる様に傾斜させて窪み４４を設けている。
なお、窪み４４に、靴底４２と同色のスポンジ４５を配設すれば、上からの見栄えが良くなる。
【００２２】
このローヒール４を履いて歩くと、歩いた時に体の重心が左右に移動するため、腰を振ってバランスを取る状態になるとともに、ウエストも動く。
女性がこのハイヒール４を履けば、通常よりも尻を大きく左右に振ってセクシーに見える様に歩行（動揺歩行）することができる。
【実施例５】
【００２３】
本考案の実施例５（請求項４に対応）に係る、中敷６を、図１、および図２の（ｂ）に基づいて説明する。
図２の（ｂ）に示す如く中敷５は、窪み４４に嵌まり込んで甲先４１の靴底４２が平滑になる様に、アウトサイドエッジ４３に近い領域程、厚みが厚くなる硬質部材５１を中敷本体５０の下面に貼着している。
なお、硬質部材５１は、靴底４２と同材質のものである。
動揺歩行が不要な場合には、中敷５を靴底に組み込めば良く、中敷５の下面に貼着した硬質部材５１が窪み４４に嵌まり込むため、靴底４２が平坦になる。これにより、動揺歩行ができるハイヒール４を普通のハイヒールとして使うことができる。
【実施例６】
【００２４】
本考案の実施例６（請求項５に対応）に係る中敷を図４の（ａ）に基づいて説明する。  平靴またはローヒールの靴底に敷いて使用する中敷６は、中敷６の中心線６１よりアウトサイド側に位置する箇所６２を、縁端６３に近づく程、低くなる様に傾斜させている。  
【００２５】
平靴またはローヒールの靴底に中敷６を敷くと、靴底の中心線より外側に位置する領域に、アウトサイドエッジに近づく程、低くなる様に傾斜した窪みが付く。
この中敷６を靴の靴底に敷して歩くと、歩いた時に体の重心が左右に移動するため、腰を振ってバランスを取る状態になるとともに、ウエストも動く。
よって、女性がこの中敷６を手持ちの靴の靴底に敷けば、通常よりも尻を大きく左右に振ってセクシーに見える様に歩行（動揺歩行）することができる。
なお、傾斜している箇所６２に、中敷６と同色のスポンジｓを配設しても良い。
【実施例７】
【００２６】
本考案の実施例７（請求項６に対応）に係る中敷を図４の（ｂ）に基づいて説明する。  ハイヒールの靴底に敷いて使用する中敷７は、甲先のアウトサイド側に位置する箇所７１を、エッジ７２に近づく程、低くなる様に傾斜させている。
【００２７】
ハイヒールの靴底に中敷７を敷くと、甲先のアウトサイド側に位置する箇所に、エッジ７２に近づく程、低くなる様に傾斜した窪み７３が付く。
この中敷７をハイヒールの靴底に敷して歩くと、歩いた時に体の重心が左右に移動するため、腰を振ってバランスを取る状態になるとともに、ウエストも動く。
よって、女性がこの中敷を手持ちのハイヒールの靴底に敷けば、通常よりも尻を大きく左右に振ってセクシーに見える様に歩行（動揺歩行）することができる。
なお、傾斜している箇所７１に、中敷７と同色のスポンジｓを配設しても良い。
【符号の説明】
【００２８】
１  靴
２  ローヒール
３、５、６、７  中敷
４  ハイヒール
１１、４２  靴底
１２、２２  中心線（靴中心線）
１３、２３  アウトサイドエッジ
１４、２４、４４  窪み
３１、５１  硬質部材
４１  甲先
４２  靴底
４３  エッジ
６１  中心線
６２  箇所
６３  縁端
７１  箇所
【図１】
0003181417.tif 000003
【図２】
0003181417.tif 000004
【図３】
0003181417.tif 000005
【図４】
0003181417.tif 000006